(57)【要約】この装置は、複数の発電ユニットを統括して監視制御する監視制御装置であり、プロセスデータおよび操作信号を記憶したユニットデータベース（１３）と、このユニットデータベースのデータを読み出して発電ユニット（１５）に出力するプロセス入出力手段（１４）と、インターフェース装置（１１）から要求を受けて当該インターフェース装置に予め割り付けられている発電ユニットのアドレスを検出し、そのアドレスに対応するデータを参照するユニットデータベース入出力部（１２）と、インターフェース装置を指定するインターフェース装置指定手段（１９）と、このインターフェース装置指定手段からの指令に基づいて発電ユニットとインターフェース装置との割り付け関係を書換えるインターフェース装置割り付けユニット書換装置（１８）とを有する。
2003083592.tif 000002
【特許請求の範囲】
【請求項１】
複数の発電ユニットと、この発電ユニットを監視制御する複数のマン・マシン・インターフェース装置との対応関係を予め割り付け、前記複数のマン・マシン・インターフェース装置を通じて複数の発電ユニットを統括して監視制御するようにした発電ユニット統括監視制御装置において、
前記発電ユニット毎に設けたアドレスおよびこのアドレスに対応するデータ部から構成され、各データ部に発電ユニットのプロセスデータおよび操作信号を記憶するユニットデータベースと、
前記発電ユニットからの入力信号に基づいて前記データ部のデータを書き換えるとともに、前記マン・マシン・インターフェース装置からの要求に基づいて前記データ部のデータを読み出して発電ユニットに出力するプロセス入出力手段と、
前記複数のマン・マシン・インターフェース装置それぞれから要求を受けてそれぞれのマン・マシン・インターフェース装置に予め割り付けられている発電ユニットのアドレスを検出し、そのアドレスに対応するデータ部を参照するユニットデータベース入出力部と、
前記複数のマン・マシン・インターフェース装置のうちの任意のマン・マシン・インターフェース装置を指定するインターフェース装置指定手段と、
このインターフェース装置指定手段からの指令に基づいて前記発電ユニットとマン・マシン・インターフェース装置との割り付け関係を書換えるインターフェース装置割り付けユニット書換装置と、
を備えたことを特徴とする発電ユニット統括監視制御装置。
【請求項２】
前記複数のマン・マシン・インターフェース装置それぞれを通して監視または操作される発電ユニットをデータベースとして記録するインターフェース装置管理データベースをさらに備えたことを特徴とする請求の範囲第１項に記載の発電ユニット統括監視制御装置。
【請求項３】
前記インターフェース装置指定手段は、人為的に操作される入力器を含むこと、を特徴とする請求の範囲第１項に記載の発電ユニット統括監視制御装置。
【請求項４】
前記インターフェース装置指定手段は、自動化プログラムの演算結果を出力する自動化スケジュール計算装置を含むこと、を特徴とする請求の範囲第１項に記載の発電ユニット統括監視制御装置。
【請求項５】
前記インターフェース装置割り付けユニット書換装置は、割り付け解除通知を受け取った後に、前記インターフェース装置管理データベースを参照して自動優先度の高いものから順番に自動割り付けが可能なものを検索して切り替えるように構成されていること、を特徴とする請求の範囲第２項に記載の発電ユニット統括監視制御装置。
【請求項６】
前記発電ユニットの運転状態が変化した場合に、前記インターフェース装置管理データベースを参照することにより当該運転状態変化発電ユニットの運転状態に対応するマン・マシン・インターフェース装置に割り付けし直すユニット状態判定・対応インターフェース装置割り付け装置をさらに備えたこと、を特徴とする請求の範囲第２項に記載の発電ユニット統括監視制御装置。
【請求項７】
前記発電ユニットが停止しているものと、起動または停止中であるものと、負荷運転中であるものとの、いずれか複数の組合せによって、前記各マン・マシン・インターフェース装置から操作可能な発電ユニットを割り付けることを特徴とする請求の範囲第６項に記載の発電ユニット統括監視制御装置。
【請求項８】
前記発電ユニットの運転状態が変化したときに、新しい運転状態を監視操作すべき別のマン・マシン・インターフェース装置に割り付ける手段をさらに有すること、を特徴とする請求の範囲第６または第７項に記載の発電ユニット統括監視制御装置。
【請求項９】
前記マン・マシン・インターフェース装置毎に割り付けられる発電ユニット運転状態を記憶するインターフェース装置運転状態記憶手段と、
発電ユニット運転状態毎に割り付けられたマン・マシン・インターフェース装置の台数が所定の数量を下回ったときに、他の発電ユニット運転状態に割り付けられたマン・マシン・インターフェース装置のユニット運転状態を自動的に変更する手段と、
をさらに有することを特徴とする請求の範囲第６または第７項に記載の発電ユニット統括監視制御装置。
【請求項１０】
前記マン・マシン・インターフェース装置に割り付けられる発電ユニット運転状態を自動的に変更する際、予め定めた自動発電ユニット運転状態変更の優先度に従って、割り付けられる発電ユニット運転状態を変更することを特徴とする請求の範囲第９項に記載の発電ユニット統括監視制御装置。
【請求項１１】
前記マン・マシン・インターフェース装置毎に割り付けられる発電ユニット運転状態を記憶するインターフェース装置運転状態記憶手段と、
発電ユニット運転状態毎に割り付けられたマン・マシン・インターフェース装置の台数が所定の数量を下回ったときに、割り付けの変更メッセージを表示する手段と、
をさらに有することを特徴とする請求の範囲第６または第７項に記載の発電ユニット統括監視制御装置。
【請求項１２】
運転員を識別し、当該運転員が操作権を持つ発電ユニットのみをマン・マシン・インターフェース装置に割り付けるように前記ンターフェース割り付けユニット書換装置に通知する運転員識別装置をさらに備えたこと、を特徴とする請求の範囲第１項に記載の発電ユニット統括監視制御装置。
【請求項１３】
予め該当ユニットの操作権限を与えらた運転員が操作を行うことを認証した後に、監視操作機能が有効となるように構成したこと、を特徴とする請求の範囲第１項に記載の発電ユニット統括監視制御装置。
【発明の詳細な説明】
技術分野
本発明は、複数の発電ユニット群を統括して運転操作する発電所の統括監視制御システムに関する。
背景技術
従来、発電所の運転管理は発電所単位でしかも発電ユニット毎に行っている。たとえば、発電ユニット毎に１班５〜６名の運転員（当直員）を充て、これに交代制を敷くなどして発電ユニットの異常発生に迅速な対応がとれるようにしてきた。時代の流れとともに発電所の運転も自動化が進み、発電ユニット毎の保守要員の数は確かに削減できるようになった。
しかしながら、依然として発電ユニット毎の運転管理形態は根強く定着しており、発電所の規模（発電ユニットの数）に比例的に必要人員数も増加するといった傾向は依然として残っている。
こうした状況を改善するために、発電ユニット毎に行っていた監視制御を例えば特開平１１−３５６０９４号公報にみられるように統括して実施することにより、複数の発電所における複数の発電ユニットの監視制御をより少ない人員体制にて効率良くかつ安全に行えるようにしたシステムが既に提案されている。
ところが、上記の発明では同一の監視制御システムで複数の発電ユニットの監視制御を行えるように構成してあるために、運転員が監視操作対象を間違える可能性が懸念されている。誤操作防止対策として一つのマン・マシン・インターフェース装置に一つの発電ユニットを割り付けた１対１の監視操作を行うことも考えられるが、その場合、全ての発電ユニットに対応した膨大な数のディスプレイ装置を設置することとなり、広い設置場所を必要とするだけでなく、設備費用が嵩む欠点がある。
また、このような発電所の統括監視制御システムを設置した場合、運転員の人数を発電ユニットの状態に応じて幾つかの運転操作グループに分割することも考えられるが、上述の発電所の統括監視制御システムには、このようなグループ分けに対応した機能を備えていないため、誤操作や誤認識の要因となる。
そこで本発明の目的は、複数の発電ユニットを統括して監視制御を実施するものにおいて、少ない人員体制で効率良くかつ安全に運用することのできるようにした発電ユニット統括監視制御装置を提供することにある。
発明の開示
上記の目的を達成するために、この発明は、複数の発電ユニットと、この発電ユニットを監視制御する複数のマン・マシン・インターフェース装置との対応関係を予め割り付け、前記複数のマン・マシン・インターフェース装置を通じて複数の発電ユニットを統括して監視制御するようにした発電ユニット統括監視制御装置である。この発電ユニット統括監視制御装置は、前記発電ユニット毎に設けたアドレスおよびこのアドレスに対応するデータ部から構成されて各データ部に発電ユニットのプロセスデータおよび操作信号を記憶するユニットデータベースと、前記発電ユニットからの入力信号に基づいて前記データ部のデータを書き換えるとともに前記マン・マシン・インターフェース装置からの要求に基づいて前記データ部のデータを読み出して発電ユニットに出力するプロセス入出力手段と、前記複数のマン・マシン・インターフェース装置それぞれから要求を受けてそれぞれのインターフェース装置マン・マシン・インターフェース装置に予め割り付けられている発電ユニットのアドレスを検出してそのアドレスに対応するデータ部を参照するユニットデータベース入出力部と、前記複数のマン・マシン・インターフェース装置のうちの任意のマン・マシン・インターフェース装置を指定するインターフェース装置指定手段と、このインターフェース装置指定手段からの指令に基づいて前記発電ユニットとマン・マシン・インターフェース装置との割り付け関係を書換えるインターフェース装置割り付けユニット書換装置と、を備えている。
発明を実施するための最良の形態
以下、本発明の実施の形態について図面を参照して説明する。
第１図は本発明に係る発電ユニット統括監視制御装置の一つの実施の形態の機能ブロック図である。この装置は、複数台のマン・マシン・インターフェース装置１１により、複数の発電ユニットの運転を監視制御する発電ユニット統括監視制御装置において、任意に特定したインターフェース装置１１から監視制御可能な発電ユニットの割り付けを可能としたもので、またその割り付けをさまざまな方法で変更することができるようにし、さらに変更に対してある種の制限をかけることができるように構成したものである。
本発明の実施の形態による発電ユニット統括監視制御装置は、インターフェース装置１０台と運転対象の発電ユニット１０セットとを設置して、発電責任者Ｓが１人と、運転員ＯＰが１０人（Ｎｏ．１〜１０）の体制で運転操作を行うようにしている。図中、発電ユニットＡ−１、−２、−３そしてＢ−１、−２さらにＣ−１、−２、…−５におけるアルファベットＡ、ＢおよびＣはそれぞれ別々の発電所を意味し、また数字１、２、３、…５はその発電所の号機番号を表している。
なお、以下の説明は、複数の発電所における複数の発電ユニットの運転を監視制御の対象としているが、同一の発電所内の複数発電ユニットの運転を対象としても、あるいは複数の発電所毎に幾つかずつ選択された発電ユニットに対しての運転を対象としても良い。
また、各機器と運転員ＯＰの位置関係は遠隔であっても、いずれかの発電ユニットの近傍であっても良い。さらに、発電責任者Ｓと運転員ＯＰは職能上の呼称であり、運用に応じて兼任することでも良い。すなわち、運転員の１人が、発電責任者と兼任することでも良い。
以下、第１図を参照して本実施の形態の概要から説明する。まず、インターフェース装置（Ｉ／Ｆ）１１−１〜１１−ｎに発電ユニットＡ−１、−２、−３、Ｂ−１、−２、Ｃ−１、−２、−３、−４、−５を割り付けることから説明する。インターフェース装置１１−１〜１１−ｎは、運転員ＯＰのいる中央操作室に設置され、現場に設置されている発電ユニットＡ−１、−２、−３、Ｂ−１、−２、Ｃ−１、−２、−３、−４、−５を監視制御するものである。このインターフェース装置１１−１〜１１−ｎは、それぞれディスプレイ装置ＣＲＴ１〜ＣＲＴｎの数だけ入力用のキーボードＫＢ１〜ＫＢｎおよびＣＲＴコントローラＣＮＴ１〜ＣＮＴｎを設けている。ディスプレイ装置ＣＲＴ１〜ＣＲＴｎとしてはＣＲＴのほかに液晶パネルや、プラズマディスプレイパネル等も利用可能である。
なお、このディスプレイ装置ＣＲＴ１〜ＣＲＴｎは、操作手段として必要によりタッチスクリーン機能（タッチオペレーション機能とも言う）を備え、指やペンなどでディスプレイ装置ＣＲＴ上の表示部分に直接触れて操作（タッチ操作）することにより画面への表示要求や発電ユニットＡ−１、−２、−３、Ｂ−１、−２、およびＣ−１、−２、−３、−４、−５に対する操作を行うことができるようになっている。また、表示画面を見ながらマウスを用いて操作できるようにすることもできる。
前記ＣＲＴコントローラＣＮＴ１〜ＣＮＴｎは、キーボードＫＢ１〜ＫＢｎの操作あるいはディスプレイ装置ＣＲＴ１〜ＣＲＴｎのタッチ操作により表示要求や制御指令が入力されると、その表示要求や制御指令をユニットデータベース入出力装置１２に対して出力する。
このユニットデータベース入出力装置１２はこれら表示要求や制御指令に基づいてユニットデータベース１３のアドレスを参照し、データ部に記録されているデータを得、さらに後述するようにプロセス入出力装置１４を介して発電ユニットに制御指令を出力したり、ＣＲＴコントローラＣＮＴ１〜ＣＮＴｎを介してプロセスデータを表示するようにしている。
前記ユニットデータベース１３は、図示の如く発電ユニットＡ−１〜Ｃ−５に対応するように、アドレスおよびデータ部を１組とした複数のエリアに分割され、データ部にプロセスデータおよび操作信号を記憶するように構成されている。図中の「アドレス」欄の“３４Ｃ４−２Ａ１０”等の符号は先頭アドレスを示すものであり、先頭アドレスからの相対ポインタ指定で所望のデータを指定することができるようになっている。
なお、第１図では発電ユニットＡ−３とユニットデータベース１３とのデータの入出力状況を示しているが、発電ユニットＡ−３以外の図示しない各発電ユニットとユニットデータベースとの関係も同様である。
またここでは全発電ユニットのユニットデータベースは同じ構造を持つものとしたが、発電ユニットの相違に合わせて構造を異なるものとしても良い。その場合は相対アドレス指定ではなく、全ユニットデータのユニットデータベースにおける絶対アドレスをユニットデータベース参照アドレスに記憶し、これを参照するようにすればよい。
符号１４は、発電ユニット（Ａ−３）１５とユニットデータベース１３との間に設けた周知のプロセス入出力手段（ＰＩ／Ｏ）である。このうち入力手段１４−１は発電ユニットＡ−３内のセンサあるいは制御装置、計算機等から出力された信号ＩＡ３１を入力してユニットデータベース１３への書込信号ＩＡ３２を発生させ、この書込信号ＩＡ３２によりデータ部のデータ書き換えを行う。
一方、出力手段１４−２は、ユニットデータベース１３上のデータを読出信号ＯＡ３２として読み出し、出力信号ＯＡ３１を発生して発電ユニットＡ−３へ出力する。発電ユニット（Ａ−３）１５は、受信した出力信号ＯＡ３１に応じて、該当する機器の操作を行うとか、制御指令値として制御を行うことになる。
次に、インターフェース装置１１が前記ユニットデータベース１３を参照する際の、ユニットデータベース入出力装置１２とその周辺ソフトウェアとのデータのやりとりについて説明する。
ユニットデータベース入出力装置１２は、任意特定のインターフェース装置１１−２のＣＲＴコントローラＣＮＴ２からの発電ユニットに対する監視制御信号を入力すると、後述するインターフェース装置管理データベース１７を参照することによって、当該インターフェース装置１１−１〜１１−ｎに割り付けられている発電ユニット名を知得し、さらにユニットデータベース参照データベース１６を参照してアドレスを得て対応するデータ部のデータを書き換え、前記出力手段１４−２を介して該当する発電ユニット１５を操作する。なお、図中の「Ｉ／Ｆ」はインターフェース装置を表している。
前記ユニットデータベース参照データベース１６は、詳細例を第２図で示すように、発電ユニットＡ−１、Ａ−２、Ａ−３、…Ｃ−５と、ユニットデータベース１３の参照アドレス３４Ｃ４−２Ａ１０、３４Ｄ４−２Ａ１０、３４Ｅ４−２Ａ１０、…３６Ｆ４−２Ａ１０との対応関係を登録しており、発電ユニット名を参照することにより、発電ユニットの参照アドレスを得ることができるようになっている。
また、前記ユニットデータベース入出力装置１２は、例えばＣＲＴコントローラＣＮＴ１から発電ユニットデータの表示要求があると、前記ユニットデータベース参照データベース１６を参照して、当該インターフェース装置１１−１に割り付けられている発電ユニットのデータがユニットデータベース１３上のどのアドレスに割り付けられているかを検出し、そのアドレスに対応したデータ部を参照するようになっている。
さらに、ユニットデータベース入出力装置１２は、このようにして得られたユニットデータをＣＲＴコントローラＣＮＴ１に通知し、ディスプレイ装置の画面上にそのユニットデータを表示する。
次に、インターフェース管理データベース１７について説明する。
このインターフェース管理データベース１７は、詳細例を第３図で示すように各インターフェース装置（Ｉ／Ｆ）１１−１〜１１−１０の運用を規定したデータベースであり、インターフェース装置１１−１〜１１−１０が運転操作可能な「割り付け発電ユニット」を記憶するように構成されている。なお、第３図の「Ｉ／Ｆ」欄の数字１〜１０はインターフェース装置１１−１〜１１−１０にそれぞれ対応している。本実施の形態の場合、インターフェース装置１１−１に対して発電ユニットＢ−２、インターフェース装置１１−２に対して発電ユニットＡ−２、インターフェース装置１１−３に対して発電ユニットＡ−３、…以下同様にインターフェース装置１１−１０に対して発電ユニットＢ−２を予め割り付けて登録している。このため、例えばインターフェース装置１１−２を操作してインターフェース管理データベース１７を参照すれば、このインターフェース装置１１−２に割り付けられている発電ユニット名Ａ−２を直ちに得ることができるようになっている。
また、このインターフェース管理データベース１７にはこの他に、インターフェース装置１１−１〜１１−ｎそれぞれに、自動割り付けに対する諸条件（後述する）も記憶されており、自動割り付けの際の条件となる、非運転とか起動／停止とか通常運転等の「ユニット運転状態」、「自動割り付け」の可非、自動割り付けを行う順番である「自動優先度」、そしてインターフェース装置１１−１〜１１−ｎが割り付けられていた発電ユニットの運転操作権を失った際にメッセージを出すための「インターフェース装置切替メッセージ（ＭＳＧ）フラグ」を記憶する。
なお、インターフェース装置切替ＭＳＧフラグの欄が「１」の場合は、発電ユニットの運転操作権を失った際にメッセージを出し、「０」の場合はメッセージを出さないということを意味する。
第３図のインターフェース管理データベース１７の例では、自動割り付けが「可」のインターフェース装置はインターフェース装置１１−３，１１−４，１１−８および１１−９の合計４台であるが、この４台の中で優先順位の一番高いのはインターフェース装置１１−９であるため、インターフェース装置１１−９が初めにインターフェース装置として選択されることになる。
次に、インターフェース割り付けユニット書換装置１８について説明する。このインターフェース割り付けユニット書換装置１８は、インターフェース管理データベース１７を書き換えて各インターフェース装置１１−１〜１１−ｎに割り付けられた発電ユニットを再び割り付けする装置である。
発電ユニットの再割り付けにはインターフェース装置指定手段１９によって手動で行う場合と自動で行う場合があるが、まず手動により発電ユニットを割り付ける場合から説明する。発電責任者Ｓはインターフェース装置指定入力器１９−１を用いて指定したいインターフェース装置を指定し、さらに別のインターフェース装置指定入力器１９−２より、その指定したインターフェース装置に割り付けたい発電ユニット名を入力する。
インターフェース装置指定入力器１９−１および入力器１９−２はそれぞれ入力に応じて、「表示インターフェース通知信号ａ」および「表示ユニット通知信号ｂ」を出力する。インターフェース割り付けユニット書換装置１８は、この「表示インターフェース通知信号ａ」および「表示ユニット通知信号ｂ」を入力することによりインターフェース割り付けユニット書換信号ｃを前記インターフェース装置管理データベース１７に出力し、このデータベース内の該当するインターフェース装置に対応する「割り付け発電ユニット」を指定された表示ユニットに書き換える。
一方、発電ユニットを手動ではなく自動割り付けする場合は、自動化スケジュール計算装置１９−３により行う。この自動化スケジュール計算装置１９−３は、発電ユニットを希望する時刻に解列、並列または目標負荷に到達するなどの運転目標状態にするために、必要な時間を計算し、スケジュールを設定する機能をもっており、予め計算しておいたスケジュールに従って起動または停止が必要な時刻になると、該当するインターフェース装置のディスプレイ装置にメッセージを表示し、起動または停止操作を行うように運転員ＯＰに通知する。
この時、起動または停止操作対象の発電ユニットを割り付けているインターフェース装置が無い場合は、自動的にインターフェース装置を当該発電ユニットに割り付け、起動または停止操作を促すメッセージを出力する。すなわち、前記インターフェース管理データベース１７から割り付けられている発電ユニットを参照し、これから起動または停止操作を行おうとする発電ユニットが割り付けられたインターフェース装置が無い場合は、割り付けを行いたい発電ユニット名を記述した「表示ユニット通知信号ｄ」をメッセージとして送信する。
このインターフェース割り付けユニット書換装置１８は、表示ユニット通知信号ｄを受け取ると、インターフェース管理データベース１７を参照し、「自動割り付け」が「可」となっているインターフェース装置１１−１〜１１−ｎの中から「自動優先度」が最も高いものを選択し、表示ユニット通知信号ｄによって通知された割り付けたい発電ユニットを「割り付け発電ユニット」に書き換える。図示の例では、自動割り付けが「可」のインターフェース装置としてインターフェース装置１１−３、１１−４、１１−８、および１１−９が存在するが、この中で優先度の１番高いものはインターフェース装置１１−９であるので、インターフェース装置１１−９を割り付けることになる。
以上のようにして、自動化スケジュール計算装置１９−３が必要とする発電ユニットをインターフェース装置１１−９に割り付けることができる。
なお、ここでは自動割り付けの一例として自動化スケジュール計算装置１９−３を挙げたが、他の装置や回路若しくはプログラムによって同様に自動割り付けを行うことも可能である。例えば、警報やトリップやその他のイベントが発生した場合、発生した発電ユニットに自動割り付けを行ったりすることもできる。
本実施形態では、監視制御の信頼性を高めるために、各インターフェース装置１１−１〜１１−ｎを操作する運転員ＯＰの識別を行う運転員識別装置２０を備えている。以下、運転員識別装置２０について説明する。この運転員識別装置２０は各インターフェース装置１１−１〜１１−ｎを操作する運転員ＯＰを識別し、その運転員ＯＰが操作権を持つ発電ユニットのみを割り付けるようにインターフェース割り付けユニット書換装置１８に通知する機能を持つ。
運転員ＯＰは各インターフェース装置１１−１〜１１−ｎを操作する際、まず、図示しない入出力装置（識別装置の入力端末）を用いて自分の運転員番号（Ｎｏ．１、Ｎｏ．２、…Ｎｏ．１０の中の該当する番号）を運転員識別装置２０に入力する。この結果、第４図で詳細例を示す運転員管理データベース２１を参照して該当する運転員ＯＰが操作可能な発電ユニットすなわち操作権限を持つ発電ユニットを参照することができる。この運転員管理データベース２１は、運転員番号（Ｎｏ．）毎に発電ユニット名を登録してある。例えば、運転員ＯＰがＮｏ．１の場合、操作可能な発電ユニットはＡ−１，２，３、Ｂ−１，２、運転員ＯＰがＮｏ．１０の場合、操作可能な発電ユニットはＢ−１，２，Ｃ−１，２，３，４，５である。
前述したインターフェース装置指定入力器１９−１、２または自動化スケジュール計算装置１９−３からの指令に基づいてインターフェース割り付けユニット書換装置１８が各インターフェース装置１１−１〜１１−ｎに割り付けられた発電ユニットを変更しようとする際は、前記運転員識別装置２０を参照することになる。この運転員識別装置２０は、各インターフェース装置１１−１〜１１−ｎを操作する運転員ＯＰが、割り付けようとする「発電ユニット」に対して操作権限を有していない場合、割り付けを拒否する。
なお、運転員の操作権限対象を「発電ユニット」毎ではなく、例えば貫流ボイラとドラムボイラ、ガスタービンと蒸気タービンのように細分化し、それぞれの項目に対して操作権限を有するか否かを運転員識別装置２０により識別するようにしても良い。この場合、その細分化した項目のいずれが該当するのかを記憶したデータベースを作成し、当該運転員ＯＰが目的とする「発電ユニット」の運転に必要な全ての技能を持つ場合のみ割り付けを許可することになる。
また、さらに、操作対象の「発電ユニット」に対する細分化した項目に対応した機能についてのみ、インターフェース装置１１−１〜１１−ｎに割り付けるようにしても良い。
また、本発明は運転員ＯＰの運用に合わせて、以下のように対応しても良い。
すなわち、ある運転員ＯＰは発電ユニットＡ−１の操作権限を持つ専門家、また別の運転員ＯＰは発電ユニットＢ−２の操作権限を持つ専門家であるとした場合、それぞれの発電ユニット毎に「運転員番号」を付与し、一つの操作権限を持つ運転員ＯＰには一つの運転員番号を持たせ、複数の操作権限をもつ運転員ＯＰには複数の運転員番号を持たせるようにしても良い。このようにすれば、運転員ＯＰにとって運転操作可能な発電ユニットの総数が、その運転員ＯＰの持つ「運転員番号」の数の総計であるいうことができる。
次に、発電ユニットの運転状態に変化が生じたため、各インターフェース装置１１−１〜１１−ｎに割り付けし直す場合について説明する。
ユニット状態判定・対応インターフェース割り付け装置２２は、例えば第５図で示すユニット状態データベース２４を参照することにより、変更された発電ユニット状態信号を入力した場合、その変化した発電ユニットの運転状態に応じた用途（ユニット運転状態）のインターフェース装置１１−１〜１１−ｎに割り付けし直す装置である。
例えば、発電ユニットＡ−２は「非運転」状態で、それまでは「非運転」ユニット運転状態の１１−２に表示を割り付けられていたとする。ここで、発電ユニットＡ−２が、「非運転」状態から「起動」した場合は、ユニット状態データベース２４に登録されている発電ユニットＡ−２の［ユニット状態］のデータが「起動中」に変化する。
このユニット状態判定・インターフェース割り付け装置２２は、ユニット状態データベース２４の状態が変化すると、前記インターフェース管理データベース１７を参照（インターフェース割り付け状態参照信号ｅを入力）し、ユニット運転状態と割り付け発電ユニットとが対応しないインターフェース装置を検索する。
検索の結果、インターフェース装置１１−２について「ユニット運転状態」と「割り付け発電ユニット」とが対応しないことが検出されるので、前記ユニット状態判定・インターフェース割り付け装置２２は、インターフェース割り付けユニット書換装置１８に対してインターフェース装置１１−２に割り付けている発電ユニットＡ−２の割り付け解除信号ｆを出力する。同時に、発電ユニットＡ−２に割り付けられているインターフェース装置が無くなることから、当該インターフェース割り付けユニット書換装置１８に対してユニット表示要求信号ｇを出力し、発電ユニットＡ−２の割り付け要求を行う。
なお、この発電ユニットＡ−２の割り付け要求に関する機能は、自動化スケジュール計算装置１９−３による自動割り付けと同様の機能である。
一方、インターフェース割り付けユニット書換装置１８は、この割り付け要求を受け取ると前記インターフェース管理データベース１７を参照し、自動優先度の高いものから順番に自動割り付けが可能なものを検索して切り替える。この例ではインターフェース装置１１−９がこれに該当し、発電ユニットＡ−２に割り付けられる。
次に、前記インターフェース管理データベース１７に対してインターフェース・ユニット運転状態書換信号ｊを発生する自動ユニット運転状態書換装置２３について説明する。この自動ユニット運転状態書換装置２３は、前記ユニット状態データベース２４から運転状態毎のユニット数（運転状態別ユニット数通知信号ｈ）を参照し、また前記インターフェース管理データベース１７からユニット運転状態毎の割り付けインターフェースの数（ユニット運転状態別インターフェース割り付け数通知信号ｉ）を参照する。
次に、監視操作権の移行支援機能について説明する。インターフェース割り付けユニット書換装置１８や自動ユニット運転状態書換装置２３によってインターフェース・ユニット運転状態を書き換えられた各インターフェース装置１１−１〜１１−ｎは、それまで表示されていた発電ユニットの運転操作権を失う。この結果、インターフェース管理データベース１７は「インターフェース切替ＭＳＧフラグ」を１とし、該当するＣＲＴコントローラＣＮＴはディスプレイ装置ＣＲＴ２の画面上にポップアップメッセージを表示し、操作権喪失を通知する。
なお、操作権喪失の通知に加えて、そのディスプレイ装置ＣＲＴを使用していた運転員ＯＰが操作権喪失の認証ボタンを押すなどの認証行為をとるようにすれば、運転員ＯＰ自らが使用していたインターフェース装置の対象発電ユニットが気付かないうちに変わったことによる誤操作を防ぐことができる。この場合、該当発電ユニットの操作権限を有する運転員ＯＰであることを、運転員ＯＰの身体的特徴（例えば指紋、声紋、掌紋）を検出することで認証するようにしても良いし、該当発電ユニットの操作権限を有することを記録した記録装置（例えばＩＣカードやバーコードカード）を用いて認証するようにしても良い。
また、ポップアップメッセージで操作権喪失を通知すると同時に、ディスプレイ装置ＣＲＴ９については操作権を取得した旨のポップアップメッセージを表示し、運転員はこの新旧両方のディスプレイ装置ＣＲＴから認証行為をとるようにしても良い。
第６図は以上説明したプラント運転状態の変化に伴うインターフェース装置割り付けの変化のようすを示す図である。この第６図は、６プラントの発電ユニット（Ａ−１、Ａ−２、Ａ−３、Ｂ−２、Ｃ−３、Ｃ−４）を、１０台の各インターフェース装置１１−１〜１１−１０を用いて監視操作する場合の運用集中化の例を示す。
各インターフェース装置１１−１〜１１−１０に対する発電ユニットＡ−１、Ａ−２、…Ｃ−４の割り付け状況は、第１図のインターフェース管理データベース１７（第３図参照）に登録されているとおりであり、第６図（ａ）中にインターフェースと発電ユニットとの割り付け関係を示したように、図中左から非運転ユニット監視制御用インターフェース装置として、インターフェース１に発電ユニットＢ−２を、インターフェース２に発電ユニットＡ−２を割り付け、起動停止ユニット監視制御用インターフェースとして、インターフェース装置１１−３および１１−４に発電ユニットＡ−３を、インターフェース装置１１−５および１１−６に発電ユニットＣ−４をさらにインターフェース装置１１−７および１１−８に発電ユニットＣ−３を割り付け、そして通常運転ユニット監視制御用インターフェースとして、インターフェース装置１１−９に発電ユニットＡ−１を、インターフェース装置１１−１０に発電ユニットＢ−２をそれぞれ割り付けている。
そして、第６図（ａ）の運用状態において、非運転状態の発電ユニットＡ−２を起動すると、インターフェース装置１１−２の対象発電ユニットが該当運転状態外となって割り付けを解除される。この割り付けを解除された状態が第６図（ｂ）の状態であり、図中インターフェース装置１１−２の下に「割当無し」と表示される。同時に発電ユニットＡ−２には第１図のインターフェース管理データベース１７に登録されている第３図の自動優先度に基づいて、第６図（ｃ）で示すようにインターフェース装置１１−９が割り付けられる。
つぎに、本発明に係る発電ユニット統括監視制御装置の他の実施の形態について説明する。ここでは、自動用途書換装置２３は、例えば第７図に示すような割り付けパターン表を備えており、運転状態別（用途別）ユニット数通知信号ｈと、本パターン表を照らし合わせて、該当パターンにおけるインターフェース割り付け数と、用途別インターフェース割り付け数通知信号ｉを比較する。これらが異なる場合には、インターフェース用途書換信号ｊを通知して、各インターフェースの用途を書換えさせて、各運転状態における最適なインターフェース割り付けを実現する。第７図の割り付けパターン表は、１０ユニットのうち同時に起動／停止操作を行うユニットは、最大４ユニットと定めた場合の割り付けパターン表の例である。本パターン表の設定値は、次のような考え方に基づき設定されている。
まず、起動／停止状態は、ユニット運転状態の中で最も監視制御項目の多い状態であり、多くのＣＲＴを必要とするため、起動／停止状態のユニットには各２台のＣＲＴを割り付け、残りのＣＲＴで通常運転および非運転状態のユニットを監視する。さらには、通常運転と非運転状態では、通常運転状態の方が比較的監視制御項目が多いため、通常運転状態ユニットにはなるべく各ユニット１台のＣＲＴを割り付けられるように配慮する。ただし、通常運転、非運転状態とも、全く監視無しとはならないように、該運転状態のユニットが存在する限り、最低１台のＣＲＴはその運転状態用に割り付けることとする。
第７図の「ユニット／ＣＲＴ」欄は、ユニット数とＣＲＴ数の比を表す。この表によれば、起動停止ユニットが存在する場合は、必ず１ユニットにつき２台のＣＲＴが確保されており（ユニット／ＣＲＴ＝０．５）、さらに、非運転状態ユニットが存在する時に非運転ユニット監視制御用ＣＲＴが０台にならない範囲で、なるべく通常運転ユニット監視制御用ＣＲＴが１ユニットにつき１台のＣＲＴを確保できる（ユニット／ＣＲＴ＝１．０）ように設定されていることが確認できる。
例えば、インターフェース管理データベースが第８図の状態となっている例において、非運転状態にあったＡ−２ユニットが、プラント起動を開始して起動／停止状態に変化し、その後、すでに起動操作中であったＣ−３ユニットが、起動完了して通常運転に切り替わった場合を考えると、インターフェース割り付け状態は第９図のように変化する。
つまり、元々は起動／停止状態ユニット数＝３、通常運転状態ユニット数＝２、非運転状態ユニット数＝５であり、第７図の割り付けパターン表におけるパターン１３の状態であった。その後、Ａ−２ユニットがプラント起動を開始し、起動／停止状態に変化して、起動／停止状態ユニット数＝４、通常運転状態ユニット数＝２、非運転状態ユニット数＝４のパターン５に変化した。この時、この変化を検知した自動用途書換装置２３は、インターフェース用途書換信号ｊを通知し、結果として、第９図（２）に示す通り、４ユニットに増えた起動／停止状態ユニットをそれぞれ２台のＣＲＴにて監視制御できるように、６台であった起動／停止ユニット監視制御用ＣＲＴが８台に増強され、残りのＣＲＴ２台を１台ずつ用いて、通常運転中の２ユニットおよび、非運転状態の４ユニットを監視する形態に変化する。
さらに、起動操作中であったＣ−３ユニットが起動完了し、通常運転に切り替わった際にも自動用途書換装置２３が、起動／停止状態ユニット数＝３、通常運転状態ユニット数＝３、非運転状態ユニット数＝４のパターン１２への状態変化を検知してインターフェース用途書換信号ｊを通知し、第９図（３）に示す通り、起動／停止ユニット監視制御用ＣＲＴが８台から６台に減り、解放されたＣＲＴ２台が、パターン１２の割り付けに従い、通常運転ユニット監視制御用として新たに割り付けられて、通常運転状態の３ユニットが、各１台のＣＲＴを用いて監視制御が行える形態に変化する。
このように、発電ユニットの状態に変化が生じても、インターフェースを自動的に割り付けるので、運転員の誤操作を伴わない運用が可能となる。
以上述べたように、本発明によれば、複数の発電ユニットを統括して監視制御を実施するものにおいて、発電ユニットと監視制御用のインターフェース装置との対応関係を固定せずに割り付け、発電ユニットの運用状況に応じて対応関係を変更可能にしたので、少ない人員体制で効率良くかつ安全に運用することのできる発電所の統括監視制御システムを提供することができる。
【図面の簡単な説明】
第１図は、本発明による発電ユニット統括監視制御装置の一つの実施の形態を示す機能ブロック図である。
第２図は、第１図の発電ユニット統括監視制御装置におけるユニットデータベース参照データベースの例を示す表である。
第３図は、第１図の発電ユニット統括監視制御装置におけるインターフェース管理データベースの例を示す表である。
第４図は、第１図の発電ユニット統括監視制御装置における運転員管理データベースの例を示す表である。
第５図は、第１図の発電ユニット統括監視制御装置におけるユニット状態データベースの例を示す表である。
第６図は、第１図の発電ユニット統括監視制御装置におけるプラント状態の変化に伴うインターフェース割り付け変化の例を示す図である。
第７図は、第１図の発電ユニット統括監視制御装置における割り付けパターンの例を示す表である。
第８図は、第１図の発電ユニット統括監視制御装置におけるインターフェース管理データベースの第３図とは異なる例を示す表である。
第９図は、第１図の発電ユニット統括監視制御装置におけるプラント状態の変化に伴うインターフェース割り付け変化の第６図とは異なる例を示す図である。
【図１】
2003083592.tif 000003
【図２】
2003083592.tif 000004
【図３】
2003083592.tif 000005
【図４】
2003083592.tif 000006
【図５】
2003083592.tif 000007
【図６】
2003083592.tif 000008
【図７】
2003083592.tif 000009
【図８】
2003083592.tif 000010
【図９】
2003083592.tif 000011
【国際調査報告】
2003083592.tif 000012
2003083592.tif 000013
2003083592.tif 000014